(57)【要約】【課題】  本発明は、吹き出し口が無段階で回動し、風向きを自在に調整できるように工夫した、簡便にして安価でかつ、高機能の風向き自在調整型給排気ガラリに関するものである。【解決手段】  ガラリ嵌め込み用本体１に嵌め込み用穴１ａを設け、適度な吹き出し角度の羽根を有したガラリ本体２の嵌め込み部２ｃを嵌め込み用穴１ａに嵌め込み、嵌め込み部２ｃに外れ防止体２ｄを設け、嵌め込み用本体１とガラリ本体２を組み合わせ、かつ、ガラリが回動自在に構成したことを特徴とした、風向き自在調整型給排気ガラリを提供する。【選択図】  図４
2016075417.tif 000002
【特許請求の範囲】
【請求項１】
ガラリ嵌め込み用本体に嵌め込み用穴を設け、適度な吹き出し角度の羽根を有したガラリ本体の嵌め込み部を嵌め込み用穴に嵌め込み、嵌め込み部に外れ防止体を設け、嵌め込み用本体とガラリ本体を組み合わせ、かつ、ガラリが自在に回動することを特徴とした、風向き自在調整型給排気ガラリ。
【発明の詳細な説明】
【技術分野】
【０００１】
本発明は、吹き出し口が無段階で回動し、風向きを自在に調整できるように工夫した、簡便にして安価でかつ、高機能の風向き自在調整型給排気ガラリに関するものである。
【背景技術】
【０００２】
従来の給排気ガラリは、一般的に吹き出し口が四角形、又は、円形をしており、構造上一方向、又は、９０度単位でしか吹き出し方向を調節することができない物が主流を占めている。中には、２方向、３方向に同時に吹き出す構造の物も散見されるが、いずれの製品も吹き出し口が固定されたものであり、取り付け後の調整は不可能である。
【０００３】
又、一部には、羽根の調節により一方向の調整は出来ても、取り付け後任意の方向に自在に調節することは出来ない。
【先行技術文献】
【特許文献】
【０００４】
【特許文献１】特開２００１−３４３１４９号公報
【特許文献２】特開平１１−４４４５２号公報
【発明の概要】
【発明が解決しようとする課題】
【０００５】
そのため、次のような問題点があった。
（イ）  風向き（冷暖気）の流れが偏り、冷暖房よる快適性を著しく低下させる。
（ロ）  結果的に快適性も向上せず、エネルギーのロスが発生する。
本発明は、これらの問題点を解決するためになされたものである。
【課題を解決するための手段】
【０００６】
ガラリ嵌め込み用本体に嵌め込み用穴を設け、適度な吹き出し角度の羽根を有したガラリ本体の嵌め込み部を嵌め込み用穴に嵌め込み、嵌め込み部に外れ防止体を設け、嵌め込み用本体とガラリ本体を組み合わせ、かつ、ガラリを自在に回動するようにしたものである。
【０００７】
尚、嵌め込みの方法として、図３に示すように、ガラリ取り付け用本体１の嵌め込み用穴１ａに、図２のガラリ嵌め込み部２ｃを、いわゆる宙吊り状態で取り付ける。その時、嵌め込み用穴１ａの内径は、ガラリ嵌め込み部２ｃ外径より僅かに大きくし、ガラリ回転時の抵抗を無くす構造とする。
【０００８】
尚、宙吊り状態の方法として、ガラリ嵌め込み部の適宜な位置に外れ防止用の防止体、例えば、ピン或いはネジ等を２ｄ部に取り付け外れ防止とする。
【０００９】
又、同様の機能は他業種にも有ろうかと思われるが、特に屋内取り付け用として既存の屋内用ガラリと異なる点は、ガラリを回転させて風向き方向を自在に調整する方法に有る。理由として、屋内の高所に取り付けられたガラリを自在に調整するためには、脚立、はしご等の台に上がっての調整が必要となり、極めて手数が掛ることに加えて危険も伴う。
【００１０】
これを解決する方法としては、種々の方法が考案されるが、紐・操作棒・動力等々による方法が考えられる。例えば、右回り、左回りの二本の引き紐による操作が安価にして簡便な方法と考える。このような機能も付加できる。
【００１１】
以上を特徴とする、風向き自在調整型給排気ガラリである。
【発明の効果】
【００１２】
吹き出し口を任意に回動させ、風向き方向を自在に微調整することにより、例えば、従来は冷房時に於いて風向きが階上又は階下にしか吹き出せず、階上・階下では温度差が大きく、双方とも不快感をいだいていたのが、本ガラリを使用することにより、吹き出し方向を階上・階下とのバランスを調整することで階上・階下の温度差が解消し問題点は一気に解決した。
【００１３】
本発明により、建築物のどの位置、例えば内壁面あるいは天井壁面のどちらの壁面に施工しても空気の流れを調節でき快適空間の提供に寄与することが出来る。
【００１４】
即ち、高気密・高断熱・省エネ住宅の提供にも大きく寄与すると考える。
【００１５】
又、従来は風向きを任意の方向に調整しようとすると、極めて複雑な構造となり当然製造コストも高くつくが、本発明は簡便にして安価な方法で高機能を提供するものであり建築業界にとっても有意義な発明と考える。
【図面の簡単な説明】
【００１６】
【図１】本発明に関わる、ガラリ取り付け用本体の説明図である。
【図２】本発明の主要部、ガラリ（円形）の説明図である。
【図３】本発明の組み立て断面図である。
【図４】本発明品を天井ダクトに取り付けた断面図である。
【図５】従来のガラリ（参考）の説明図である。
【発明を実施するための形態】
【００１７】
以下、本発明の実施の形態について説明する。
【００１８】
ガラリ嵌め込み用本体、１の嵌め込み用穴１ａに、適宜な吹き出し角度を持った円形ガラリ２の嵌め込み部２ｃを嵌め込む。
【００１９】
嵌め込んだ円形ガラリは、３６０度回転し任意の位置に自在に無段階で吹き出し方向を調整できる構造とする。
【００２０】
図３は、本発明の組み立て断面図である。
【００２１】
先に記述したとおり、嵌め込んだ円形ガラリ２が、３６０度自在に回転する構造が理解できる。
【００２２】
エアコンより送風された冷暖気は、ガラリ内側より送風されるわけであるが、ガラリには適度な吹き出し角度が設けてあり、ガラリ面に対し斜め方向に吹き出す仕組みとなっている。
【００２３】
従って、ガラリの取り付け位置を問わず、この吹き出し口を回転させることにより冷暖気の風向きを自在に調節し快適な空間を得ることが出来る。
【００２４】
また、図４は、本発明を天井に設けられたエアコンよりの通風口に取り付けた状態を示す。
【００２５】
通風口４ａより、ガラリに吹き込まれた冷暖気Ａは、ガラリを通過することによりＢの方向に吹き出す。この原理により、ガラリを自在に回転させることで任意の方向に風向きを調整することができる。
【００２６】
これを使用するときは、ガラリ取り付け位置、及び、得ようとする環境に合わせて風向きを最適の位置に調整する。
【００２７】
尚、本発明は、ガラリを３６０度自在に回転する構造にしたが、ガラリの取り付け位置や送風量に応じて回転角度を任意の方向に調節することができるようにすればよい。
【００２８】
例えば、取り付け位置や送風量によって、回転角度を１８０度以内に規制することもできる。
【符号の説明】
【００２９】
１        ガラリ嵌め込み用本体
１ａ      ガラリ嵌め込み用穴
２        ガラリ本体
２ａ      ガラリ面
２ｂ      羽根
２ｃ      嵌め込み部
２ｄ      外れ防止体取り付け位置
３        ガラリ本体＋嵌め込み用本体組み立て断面図
４        通風口への取り付け断面図
４ａ      エアコンよりの通風口
４ｂ      天井
１００    従来のガラリ
１００ａ  吹き出し口
１００ｂ  羽板
Ａ        通風口よりの空気の流れ
Ｂ        ガラリより吹き出される空気の流れ
【図１】
2016075417.tif 000003
【図２】
2016075417.tif 000004
【図３】
2016075417.tif 000005
【図４】
2016075417.tif 000006
【図５】
2016075417.tif 000007